(57)【要約】  円滑に往復動するベーンを備えたロータリー型圧縮機及びロータリー型圧縮機の製造方法。ロータリー型圧縮機は、シリンダーに形成されたベーン取付溝と、前記ベーン取付溝の内側面に側面が接し、往復動するベーンと、を備え、前記ベーンの側面部は、表面粗さの値が十点平均粗さで０．１μｍ未満の超平滑な表面性状を備えている。
2018154716.tif 000002
【特許請求の範囲】
【請求項１】
シリンダーに形成されたベーン取付溝と、
前記ベーン取付溝の内側面に側面が接し、往復動するベーンと、
を備え、
前記ベーンの側面部は、
表面粗さの値が十点平均粗さで０．１μｍ未満の超平滑な表面性状を備えた、
ロータリー型圧縮機。
【請求項２】
前記ベーン取付溝は、内側面に形成された凹陥形状を備えた、
請求項１に記載のロータリー型圧縮機。
【請求項３】
前記ベーンは、側面部に形成された凹陥形状を備えた、
請求項１又は２に記載のロータリー型圧縮機。
【請求項４】
前記ベーン取付溝の内側面は、表面粗さの値が突出山部高さで０．１μｍ未満の表面性状を備えた、
請求項１〜３のいずれか一項に記載のロータリー型圧縮機。
【請求項５】
シリンダーに形成されたベーン取付溝と、ベーン取付溝に挿入されるベーンと、を加工する加工工程を有し、
前記加工工程は、
前記ベーンを、砥粒を液体に溶いた研磨液を塗布して研磨する研磨工程を含む、
ロータリー型圧縮機の製造方法。
【請求項６】
前記砥粒の材質は、ダイヤモンドである、
請求項５に記載のロータリー型圧縮機の製造方法。
【請求項７】
前記加工工程は、
前記ベーン取付溝に、前記ベーン取付溝よりも硬度が高い丸棒を押しつけ、前記ベーン取付溝を塑性加工する塑性加工工程を含む、
請求項５又は６に記載のロータリー型圧縮機の製造方法。
【発明の詳細な説明】
【技術分野】
【０００１】
本発明は、ロータリー型圧縮機、及び、ロータリー型圧縮機の製造方法に関し、特に、ベーン及びベーン取付溝の表面性状に関するものである。
【背景技術】
【０００２】
ロータリー圧縮機では、クランク軸の偏芯軸部に嵌着されたローリングピストンが、シリンダー内の中央空間部に可動式に配設されており、外周面とシリンダーの内壁面、及び、外周面とシリンダーの内側面から延出するベーンが当接状態となっている。そして、シリンダーとローリングピストンとの隙間に形成された空間が、ベーンにより、圧縮室と吸入室とに仕切られている。【０００３】
ローリングピストンは、クランク軸の回転により偏心回転し、シリンダーとローリングピストンとの隙間の空間に冷媒ガスを吸入する吸入工程と、吸入した冷媒ガスを圧縮する圧縮工程とを順次連続して繰り返す。シリンダーとローリングピストンとの隙間で圧縮された冷媒ガスは、吸入工程と、圧縮工程との一連の工程を経た後、密閉容器内に放出され、密閉容器から吐出管を経て冷凍回路に送り込まれる。【０００４】
ローリングピストンが回転すると、ベーンは、位相が位相１８０°に達するまでベーン取付溝基部の背圧室からの押付荷重により、偏心回転するローリングピストンに追従して下死点へと移動する。一方、位相が位相１８０°以上に達すると、ベーンは、偏心回転するローリングピストンから荷重を受け、上死点へと移動する。【０００５】
このように、ベーンは、ローリングピストンの高速回転により、シリンダーの内周面に形成されたベーン取付溝に案内され、ベーン側面部においてベーン取付溝の内側面に当接しながら往復動する。そのため、ベーンとベーン取付溝との間には、クリアランスを設け、且つ、潤滑油を介在させてベーンとベーン取付溝内との摺動及び往復動を可能としている。また、シリンダー内の圧縮された冷媒ガスの漏れ損失を低減するため、ベーンとベーン取付溝とのクリアランスを抑制することも提案されている。【０００６】
例えば、特許文献１には、ベーンの摺動面を表面粗さＲａが０．１μｍ以下、十点平均最大高さ粗さに換算すると、０．４μｍ以下とすることが記載されている。また、特許文献２では、ベーンのロータに接触する面において、ロータ回転方向の表面粗さを十点平均最大高さ粗さで１μｍ以下、ロータ回転方向の直角方向の表面粗さを十点平均最大高さＲｚで０．６μｍ以下とすることが提案されている。このように、ベーン取付溝の内側面に当接するベーンの側面を研削し、クリアランスを抑制している。
【先行技術文献】
【特許文献】
【０００７】
【特許文献１】特開平６−２９９９８１号公報
【特許文献２】特開平７−２６７７３０号公報
【発明の概要】
【発明が解決しようとする課題】
【０００８】
特許文献１、２に記載されたベーンでは、クリアランスを抑制することができていても、研削が不十分であり、微少な凸部が排除されずに残存すると考えられる。ベーン側面に残存する凸部は、ベーン取付溝の凸形状と引っ掛かり、円滑なベーンの往復動が阻害され、圧縮機運転時に摺動損失が生じてしまうと考えられる。【０００９】
本発明は、上述のような課題を解決するためになされたものであり、ベーン取付溝を円滑に往復動し、往復動による騒音、摺動損失、及び、摺動抵抗を低減できる表面性状を有するベーンを備えたロータリー型圧縮機、及び、ロータリー型圧縮機の製造方法を提供することを目的とする。
【課題を解決するための手段】
【００１０】
本発明に係るロータリー型圧縮機は、シリンダーに形成されたベーン取付溝と、前記ベーン取付溝の内側面に側面が接し、往復動するベーンと、を備え、前記ベーンの側面部は、表面粗さの値が十点平均粗さで０．１μｍ未満の超平滑な表面性状を備えている。
【発明の効果】
【００１１】
本発明によれば、ベーン取付溝の内側面と当接するベーンの側面を十点平均粗さで０．１μｍ未満の超平滑な表面形状としているため、表面の凸部が排除され、表面の平坦性が向上する。これにより、ベーンとベーン取付溝との隙間からの圧力損失を低減し、且つ、摺動抵抗が抑制された高い性能を有するロータリー型圧縮機を得ることができる。
【図面の簡単な説明】
【００１２】
【図１】本発明の実施の形態１に係るロータリー型圧縮機の概略模式図である。
【図２】本発明の実施の形態１に係るロータリー型圧縮機のシリンダーの端面の概略図である。
【図３】図２のベーンの側面図である。
【図４】本発明の実施の形態１に係るベーンの表面性状を示す断面曲線である。
【図５】従来のベーンの表面性状を示す断面曲線である。
【図６】本発明の実施の形態１に係るベーン側面部と、従来のベーン側面部とにおける試験時間と摩擦係数との関係を示すグラフである。
【図７】本発明の実施の形態２に係るロータリー型圧縮機のベーン取付溝の側面部の断面曲線である。
【図８】従来のベーン取付溝の側面部の断面曲線である。
【図９】本発明の実施の形態２に係るベーン取付溝を備えたロータリー型圧縮機と、従来のベーン取付溝を備えたロータリー型圧縮機との運転時間と入力値との関係を示すグラフである。
【発明を実施するための形態】
【００１３】
実施の形態１．
本実施の形態に係るロータリー型圧縮機は、例えば、多段シリンダー型、又は、単一シリンダー型などのロータリー型圧縮機であり、冷凍サイクルにおいて、冷媒を圧縮し、圧縮された冷媒を冷凍回路に送り込むためなどに用いられる。以下の説明においては、多段シリンダー型のロータリー型圧縮機を例にとり説明する。
【００１４】
＜ロータリー型圧縮機１の構成＞
図１は、本実施の形態に係るロータリー型圧縮機１の概略模式図である。図１に示すように、ロータリー型圧縮機１は、鋼板からなる円筒状の密閉容器２と、密閉容器２内の上部に配置された電動要素１２と、電動要素１２の下方に配置された回転圧縮機構部４と、により構成されている。
【００１５】
電動要素１２は、クランク軸３を有し、クランク軸３により電動要素１２の下方に配置された回転圧縮機構部４と接続している。電動要素１２は、回転圧縮要素から成る回転圧縮機構部４を回転させる駆動源となる。
【００１６】
回転圧縮機構部４は、シリンダー５と、クランク軸３に設けられた偏心軸部８と、偏心軸部８に嵌着されたローリングピストン６とにより構成されている。シリンダー５は、中央に空間を有し、中央の空間にローリングピストン６が配置されている。ローリングピストン６は、シリンダー５の中央の空間において可動に設けられており、偏心軸部８の駆動によりシリンダー５の内側面に接触しながら偏心回転する。シリンダー５には、ベーン９を案内するベーン取付溝１１が、シリンダー５の内周面に開口し、内周面から外周面に向かって形成されている。ベーン９は、ベーン取付溝１１に挿入され、ベーン取付溝１１の案内によりベーン取付溝１１内を移動し、ローリングピストン６の外周面に線接触した状態を維持する。シリンダー５の上部及び下部には、上部カバー１０と、クランク軸３の軸受としての機能を備える下部カバー７とが取り付けられており、上部カバー１０及び下部カバー７により軸方向の開口が閉塞されている。回転圧縮機構部４において偏心軸部８がクランク軸３の回転により回転し、これ伴ってシリンダー５の内部のローリングピストン６が偏心回転する。
【００１７】
図２は、本実施の形態に係るロータリー型圧縮機１のシリンダー５の端面の概略図である。図２に示すように、シリンダー５に形成されたベーン取付溝１１は、シリンダー５の内周面に軸方向に開口している。ベーン取付溝１１には、ベーン９がバネ１４を介して挿入され、シリンダー５とローリングピストン６との間に形成される空間を仕切っている。ベーン９は、ベーン取付溝１１の奥から開口の方向に作用するバネ１４の復元力により、偏心回転するローリングピストン６と当接した状態を維持している。
【００１８】
図３は、図２のベーン９の側面図である。図３に示すように、ベーン９は、矩形状の平板であり、ベーン側面部１３が、表面粗さの値が十点平均粗さで０．１μｍ未満の超平滑な表面性状を備えている。ここで、十点平均粗さとは、Ｒｚｊｉｓとも略称される日本独自の表面粗さの尺度であり、基準長さにおいて、輪郭曲線の最大の山高さから５番目までの平均と、最深の谷深さから５番目までの平均との和を表している。ベーン側面部１３の表面粗さの値は、可能な限り小さいことが望ましく、例えば、０．０５μｍなどに設定される。
【００１９】
ベーン９は、一方の端部９ａがベーン取付溝１１に挿入され、ベーン取付溝１１の奥に配置されたバネ１４に接しており、他方の端部９ｂが偏心回転するローリングピストン６の外側面に線接触している。ベーン側面部１３は、ベーン取付溝１１の内側面と面接触している。ベーン側面部１３は、ローリングピストン６の偏心回転に伴うベーン９の往復動により、ベーン取付溝１１の内側面に沿って摺動する。
【００２０】
ベーン取付溝１１に沿って移動するベーン側面部１３は、超平滑な表面性状を有し、凸部が排除されている。そのため、ベーン取付溝１１の内側面に凸形状があっても、凸形状がベーン取付溝１１に引っ掛かることが抑制されている。従って、ベーン９は、ベーン取付溝１１を移動する際に、凸形状の引っ掛かりによる摺動抵抗を受けることなく円滑に往復動することができる。
【００２１】
＜ロータリー型圧縮機１の動作＞
続いて、ロータリー型圧縮機１の動作について説明する。
ロータリー型圧縮機１は、ベーン９により吸入室と圧縮室とに仕切られたシリンダー５とローリングピストン６との間に形成される空間において、冷媒ガスを吸入する吸入工程と、吸入した冷媒ガスを圧縮する圧縮工程と、を行う。吸入工程及び圧縮工程を繰り返し行いながら、吸入工程及び圧縮工程により圧縮された冷媒ガスを、密閉容器２に放出し、冷凍回路に送り込む。
【００２２】
ロータリー型圧縮機１の圧縮工程においては、ローリングピストン６の偏心回転に伴い、シリンダー５と、ローリングピストン６と、ベーン９とにより形成された空間が小さくなることで、冷媒ガスが圧縮される。このとき、ベーン９とベーン取付溝１１との隙間が大きいと、圧縮された冷媒ガスが漏れ出てしまう。しかし、ベーン側面部１３の凸部を排除することで、ベーン９とベーン取付溝１１とをより近接させることが可能となり、隙間が小さく抑制される。これにより、圧縮された冷媒ガスがベーン９とベーン取付溝１１との隙間から漏れ出にくくなり、圧力損失が低減される。
【００２３】
＜ベーン９の表面性状＞
図４は、本実施の形態に係るベーン９の表面性状を示す断面曲線である。また、図５は、従来のベーンの表面性状を示す断面曲線である。図４及び図５において、横軸は、ベーン９の長手方向の寸法を、縦軸は、ベーン９の側面に直交する断面における表面性状をそれぞれ示している。また、表面位置を代表する基準位置Ｓ１を０．００μｍとする。
【００２４】
図４に示すように、本実施の形態に係るベーン９のベーン側面部１３は、超平滑に加工され、表面粗さの値が十点平均粗さで０．１μｍ未満になっている。また、図５に示すように、従来のベーンは、表面粗さが十点平均粗さで０．８μｍ以下の表面形状に形成されている。
【００２５】
図４の本実施の形態に係るベーン９と、図５の従来のベーンとを比較すると、本実施の形態に係るベーン側面部１３は、凹凸が微少であり、基準位置Ｓ１から突出する凸部が排除され、超平滑な面になっていることを観察できる。一方、従来のベーン側面部の表面においては、凹凸が大きく、凸部が基準位置Ｓ１から離れた位置に達しており、山高さが大きい凸部が残存していることが観察できる。ベーン側面部１３に残存する凸部は、ベーン９の摺動時にベーン取付溝１１の内側面の凸形状に引っ掛かり、摺動抵抗の増大を招く。従来のベーンでは、ベーン側面部の凸部と、ベーン取付溝１１の凸形状とが接触することにより、隙間が大きくなり、圧縮された冷媒ガスが漏れ出すことで圧力損失を引き起こす。
【００２６】
ベーン９が超平滑な表面性状を備えることで、ベーン側面部１３の凸部が排除され、ベーン取付溝１１の内側表面の凸部への引っ掛かりが生じにくくなり、摺動抵抗が抑制される。また、ベーン側面部１３とベーン取付溝１１の内側面とがより密着することで隙間からの漏れが防止され圧力損失が低減される。従って、ベーン取付溝１１とベーン９との間での摩擦と、圧力損失とを抑制できる。
【００２７】
＜ロータリー型圧縮機１の製造方法＞
次に、本実施の形態に係るロータリー型圧縮機１に搭載されるベーン９に関する製造方法について説明する。
ロータリー型圧縮機１に搭載されるベーン９は、ベーン９を加工する加工工程を経て製造される。加工工程は、研削工程と、研磨工程と、を含む。
【００２８】
加工工程においては、まず、板金からベーン９となる部材を切り出す。板金の材料としては、例えば、ステンレスとしてＳＵＳ４４０、又は、高速度鋼としてＳＫＨ５１などを用いることができる。そして、切り出された部材の側面部の表面を研削する研削工程を実施する。研削工程を実施した後、砥粒を液体に溶いた研磨液を用いて研磨する研磨工程を実施する。砥粒の材質は、例えば、ダイヤモンドを用いる。研磨工程では、例えば、側面部の表面に粒子が３μｍなどの砥粒を液体に溶いた研磨液を塗布するポリッシング加工を施せばよい。その他の研磨方法としては、研磨シートを押し当てて加工するラッピング加工などがある。ベーン９は、加工工程において研磨され、表面粗さの値が十点平均粗さで０．１μｍ未満となるように加工される。
【００２９】
このように形成されたロータリー型圧縮機１に搭載されるベーン９は、ダイヤモンド砥粒を用いた研磨液などにより研磨され、従来の製造方法で作成されたベーンと比較してベーン９の側面部が超平滑になっている。これにより、ベーン９とベーン取付溝１１との間で生じる摺動抵抗が低減され、且つ、騒音、摺動損失、及び、圧力損失が抑制されることとなり、円滑に冷媒ガスの圧縮を行うことができるロータリー型圧縮機１を製造することができる。
【００３０】
＜実験結果＞
次に、従来のベーン側面部の表面性状と、本実施の形態に係るベーン側面部１３の表面性状との摩擦係数について行った実験結果を示す。
【００３１】
図６は、本実施の形態に係るベーン側面部１３と、従来のベーン側面部とにおける試験時間と摩擦係数との関係を示すグラフである。図６において、縦軸は摩擦係数を示し、横軸は試験時間を示している。本実施の形態に係るベーン９は、表面粗さの値が十点平均粗さで０．０６μｍに加工したものを用いて実験を行い、実験結果を○印で示した。従来のベーンとして、表面粗さの値が十点平均粗さで０．８μｍのものを用いた場合を菱形印で示し、表面粗さの値が十点平均粗さで０．２μｍのものを用いた場合を×印で示した。
【００３２】
図６に示すように、従来のベーン側面部は、表面粗さの値が十点平均粗さで０．８μｍの表面性状であった。このとき、ベーン取付溝１１の内側面との摺動摩擦係数の平均値は０．１０９であり、表面粗さの値が十点平均粗さで０．２μｍの表面性状では、０．０９９であった。これに対し、本実施の形態のベーン側面部１３では、ベーン取付溝１１の内側面との摺動摩擦係数の平均値が０．０４５であった。以上の実験結果より、ベーン側面部１３を超平滑な表面性状にすることで、摩擦抵抗が低減し、ベーン９の摺動が円滑な圧縮機が得られることがわかった。
【００３３】
以上説明した、本実施の形態に係るロータリー型圧縮機１は、ベーン側面部１３の表面粗さの値が十点平均粗さで０．１μｍ未満の超平滑な表面性状に加工されており、凸部が排除された表面性状になっている。これにより、ベーン側面部１３の表面の平坦性が向上し、ベーン９とベーン取付溝１１との摩擦による摺動抵抗と、隙間からの漏れによる圧力損失とを抑制することができる。
【００３４】
特に、ベーン側面部１３が砥粒を液体に溶いた研磨液により研磨加工されているため、十点平均粗さで０．１μｍ未満の超平滑な表面性状となっている。
【００３５】
また、ベーン９の加工工程において、砥粒を液体に溶いた研磨剤によりベーン９を研磨する研磨工程を実施し、表面粗さを十点平均粗さで０．１μｍ未満の超平滑な表面性状としている。このような加工工程を経ることにより、摺動抵抗、圧力損失、騒音などが低減されたロータリー型圧縮機１を製造できる。
【００３６】
特に、研磨工程において、砥粒の材質にダイヤモンドを用いることで、超平滑な表面性状のベーン９を実現できる。
【００３７】
実施の形態２．
実施の形態２に係るロータリー型圧縮機１について説明する。本実施の形態に係るロータリー型圧縮機１は、ベーン取付溝１１の内側面に凹陥形状Ｒが形成されている点で実施の形態１と相違する。なお、本実施の形態では、実施の形態１との相違点を中心に説明し、実施の形態１と同一部分には、同一符号を付して説明を省略するものとする。
【００３８】
図７は、本実施の形態に係るロータリー型圧縮機１のベーン取付溝１１の側面部の断面曲線である。また、図８は、従来のベーン取付溝の側面部の断面曲線である。図７及び図８は、図４及び図５と同様、横軸にベーン取付溝１１の長手方向の寸法を、縦軸にベーン取付溝１１の側面に直交する断面における表面性状をそれぞれ示している。点線は、ベーン側面部１３が摺動する摺動位置Ｐを示し、基準位置Ｓ２を０．００μｍとする。
【００３９】
図７に示すように、ベーン取付溝１１は、内側面に形成された凹陥形状Ｒを有し、内側面の突出山高さＲｐｋで０．１μｍの表面性状を備えている。ここで、突出山高さＲｐｋとは、プラトー構造表面の潤滑性評価パラメーターの一つであり、基準となる高さよりも上にある突出山部の平均高さを示す。
【００４０】
ベーン取付溝１１の内側面は、表面性状が突出山高さＲｐｋで０．１μｍ未満であり、内側面から突出する凸形状が排除され、摺動位置Ｐがベーン取付溝１１の基準位置Ｓ２に近接している。ベーン取付溝１１の内側面の表面性状により、ベーン取付溝１１の基準位置Ｓ２とベーン側面部１３の摺動位置Ｐとが密接し、ベーン取付溝１１と超平滑な平面性状のベーン側面部１３との隙間が抑制される。
【００４１】
また、ベーン取付溝１１の内側面に設けられた凹陥形状Ｒは、ベーン取付溝１１の基準位置Ｓ２から面内方向に凹む溝であり、ベーン９とベーン取付溝１１と隙間に供給され、ベーン９の摺動性を向上させるための潤滑油を保持している。凹陥形状Ｒは、最大深度が、例えば、０．３μｍ〜１．５μｍなどである。そのため、ベーン取付溝１１の基準位置Ｓ２と超平滑に加工されたベーン側面部１３の摺動位置Ｐとが密接し、隙間が小さく抑制されていても凹陥形状Ｒに貯留された油が逐次供給され、油切れによる摺動抵抗の上昇が防止される。
【００４２】
図８に示すように、従来のベーン取付溝は、内側面が突出山高さＲｐｋで０．３μｍ以下の表面性状であり、凹陥形状Ｒは形成されていない。図７のベーン取付溝１１と比較すると、図８のベーン取付溝の内側面には、凸形状が残存しており、ベーン取付溝の基準位置Ｓ２と、摺動位置Ｐとの隙間が大きくなっている。
【００４３】
このように、内側面の凸形状を排除し、超平滑な表面性状としたベーン取付溝１１に、ベーン側面部１３が超平滑な表面性状のベーン９が挿入されることで、ベーン取付溝の基準位置Ｓ２と、摺動位置Ｐとの隙間を更に抑制することができる。これにより、超平滑なベーン側面部１３に密着して隙間が抑制され、圧縮された冷媒ガスが漏れ出て圧力損失が生じることが防止される。これにより、油切れによる摺動抵抗の増加が低減し、且つ、冷媒ガスが漏れ出ることによる圧力損失が防止される。
【００４４】
ベーン取付溝１１は、例えば、ベーン取付溝１１の内側面を構成する部材として、突出山高さＲｐｋで３μｍ以下の表面性状を有する部材を用いて、突出山高さＲｐｋで０．１μｍの表面性状となるように研磨して作製すればよい。研磨の方法としては、例えば、ベーン取付溝よりも硬度が高い超硬の丸棒をベーン取付溝に押しつけ、凸形状を塑性変形させて押しつぶす塑性加工により作製することができる。これにより、突出山高さＲｐｋで０．１μｍであり、最大深度が０．３μｍ〜１．５μｍなどの凹陥形状Ｒを有するベーン取付溝１１が形成される。なお、研磨の方法は、上記に限定されず、凸形状を排除することができればよい。
【００４５】
なお、本実施の形態において、ベーン取付溝１１に凹陥形状Ｒが形成された例を示したが、凹陥形状Ｒは、ベーン側面部１３に形成されていてもよく、ベーン取付溝１１と、ベーン側面部１３との双方に形成されていてもよい。また、本実施の形態において説明した、ベーン側面部１３の構成と、ベーン取付溝１１の構成とを反転させ、ベーン側面部１３に凹陥形状Ｒを形成し、突出山高さＲｐｋで０．１μｍの表面性状とし、ベーン取付溝１１を超平滑な表面性状としてもよい。この場合にも、ベーン９とベーン取付溝１１との隙間を抑制し、油切れを防止しながら摩擦抵抗と、圧力損失とを抑制することができる。
【００４６】
＜実験結果＞
次に、本実施の形態に係るベーン取付溝１１を備えたロータリー型圧縮機１と、従来のベーン取付溝を備えたロータリー型圧縮機と運転効率について実験を行った。
図９は、本実施の形態に係るベーン取付溝１１を備えたロータリー型圧縮機１と、従来のベーン取付溝を備えたロータリー型圧縮機との運転時間と入力値との関係を示すグラフであり、縦軸に一次入力比を示し、横軸に運転時間を示している。図９において、太線は、本実施の形態のロータリー型圧縮機１の実験結果を示し、細線は、従来のロータリー型圧縮機の実験結果を示している。
【００４７】
図９に示すように、本実施の形態に係る仕様のベーン取付溝１１を備えたロータリー型圧縮機１は、運転時間が１６０分を超えるまでは一次入力比が低下し、その後、一定の１００％付近を推移する傾向を示した。一方、比較対象として、従来の仕様のベーン取付溝を備えたロータリー型圧縮機の一次入力比は、運転時間が２６０分を超えても低下し続け、その後一定に推移する傾向であった。つまり、従来の仕様のベーン取付溝では、ベーン９の摺動性が悪化していた。
【００４８】
ベーン取付溝１１の突出山高さＲｐｋを０．９μｍ以下としたことで、ベーン側面部１３との摺動抵抗が低減し、圧縮効率の低下による入力の上昇を抑制することが可能となった。また、ベーン取付溝１１の凹陥形状Ｒにより潤滑油が保持され、摺動抵抗の低減による圧縮効率の低下を抑制することが可能となった。これにより、圧縮効率の低下による入力の上昇を抑制することが可能なロータリー圧縮機が得られた。
【００４９】
以上説明した、本実施の形態に係るロータリー型圧縮機１によれば、ベーン取付溝１１の内側面に凹陥形状Ｒが形成されており、凹陥形状Ｒに保持された潤滑油がベーン９とベーン取付溝との隙間に供給される。これにより、油切れを防止し、ベーン９がベーン取付溝１１を円滑に摺動することができる。
【００５０】
また、ベーン側面部に凹陥形状Ｒが形成されることで、潤滑油が凹陥形状Ｒに保持され、油切れを防止し、ベーン９がベーン取付溝１１を円滑に摺動することができる。
【００５１】
また、ベーン取付溝１１の内側面を表面粗さの値が突出山部高さで０．１μｍ未満の表面性状とすることで、ベーン取付溝１１の側面部の凸形状が排除され、ベーン９とベーン取付溝１１との間の摩擦抵抗、及び、圧力損失を抑制することができる。
【００５２】
また、ベーン取付溝１１の加工工程において、凸形状を塑性変形させて押しつぶす塑性加工工程をベーン取付溝１１に施し、ベーン取付溝１１の内側面の表面性状が突出山部高さで０．１μｍ未満としている。このような加工工程を経ることにより、摺動抵抗、圧力損失、騒音などが低減されたロータリー型圧縮機１を製造できる。
【符号の説明】
【００５３】
１  ロータリー型圧縮機、２  密閉容器、３  クランク軸、４  回転圧縮機構部、５  シリンダー、６  ローリングピストン、７  下部カバー、８  偏心軸部、９  ベーン、９ａ、９ｂ  端部、１０  上部カバー、１１  ベーン取付溝、１２  電動要素、１３  ベーン側面部、１４  バネ。
【図１】
2018154716.tif 000003
【図２】
2018154716.tif 000004
【図３】
2018154716.tif 000005
【図４】
2018154716.tif 000006
【図５】
2018154716.tif 000007
【図６】
2018154716.tif 000008
【図７】
2018154716.tif 000009
【図８】
2018154716.tif 000010
【図９】
2018154716.tif 000011
【国際調査報告】
2018154716.tif 000012
2018154716.tif 000013
2018154716.tif 000014
2018154716.tif 000015